【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
フレキシブル乾式スプリンクラーヘッドであって、
第１の端部および第２の端部を有し、流体源に連結するように構成されている可撓性導管と、
可撓性導管の第１の端部に取り付けられているスプリンクラーノズルと、
可撓性導管の第２の端部の近傍に配設されておりかつ開状態および閉状態を有する弁であって、当該弁が開状態にあるときに流体源からの流体が可撓性導管を通って流動することを可能にし、かつ閉状態にあるときに流体源からの流体が可撓性導管を通って流動しないようにするように構成されている、弁と、
を備えることを特徴とするフレキシブル乾式スプリンクラーヘッド。
【請求項２】
請求項１に記載のフレキシブル乾式スプリンクラーヘッドであって、弁が、閉状態から開状態に移動すると、スプリンクラーノズルが開き、流体がスプリンクラーノズルを通って流動することを可能にすることを特徴とするフレキシブル乾式スプリンクラーヘッド。
【請求項３】
請求項１に記載のフレキシブル乾式スプリンクラーヘッドであって、可撓性導管は蛇腹ホースを含むことを特徴とするフレキシブル乾式スプリンクラーヘッド。
【請求項４】
請求項３に記載のフレキシブル乾式スプリンクラーヘッドであって、可撓性導管は網組金属の外被を含むことを特徴とするフレキシブル乾式スプリンクラーヘッド。
【請求項５】
請求項１に記載のフレキシブル乾式スプリンクラーヘッドであって、可撓性導管は直角に曲げることができることを特徴とするフレキシブル乾式スプリンクラーヘッド。
【請求項６】
請求項１に記載のフレキシブル乾式スプリンクラーヘッドであって、フレキシブル乾式スプリンクラーヘッドを消火用スプリンクラーシステムのスプリンクラー分岐配管に固定するように構成され、可撓性導管の第２の端部に取り付けられているコネクタ取付け部品をさらに備えることを特徴とするフレキシブル乾式スプリンクラーヘッド。
【請求項７】
請求項１に記載のフレキシブル乾式スプリンクラーヘッドであって、弁は逆止弁であることを特徴とするフレキシブル乾式スプリンクラーヘッド。
【請求項８】
請求項１に記載のフレキシブル乾式スプリンクラーヘッドであって、弁はクラッパ弁であることを特徴とするフレキシブル乾式スプリンクラーヘッド。
【請求項９】
請求項１に記載のフレキシブル乾式スプリンクラーヘッドであって、スプリンクラーノズルは、所定の温度にさらされると壊れる要素を含むことを特徴とするフレキシブル乾式スプリンクラーヘッド。
【請求項１０】
請求項９に記載のフレキシブル乾式スプリンクラーヘッドであって、前記要素が壊れることにより、弁を開状態に移動させることが可能になるように、スプリンクラーノズルと弁との間に延在し、かつそれらに連結されているリンクをさらに備えることを特徴とするフレキシブル乾式スプリンクラーヘッド。
【請求項１１】
請求項１０に記載のフレキシブル乾式スプリンクラーヘッドであって、リンクは、前記要素が壊れる以前において弁を閉状態に維持することを特徴とするフレキシブル乾式スプリンクラーヘッド。
【請求項１２】
フレキシブル乾式スプリンクラーヘッドであって、
第１の端部および第２の端部を有し、流体源に連結されるように構成されている可撓性導管と、
所定の温度にさらされると壊れる要素を含み、可撓性導管の前記第１の端部に取り付けられているスプリンクラーノズルと、
可撓性導管の第２の端部の近傍に配設されておりかつ開状態および閉状態を有する弁であって、当該弁が開状態にあるときに流体源からの流体が可撓性導管を通って流動することを可能にし、かつ弁が閉状態にあるときに流体源からの流体が可撓性導管を通って流動しないようにするように構成されている、弁と、
スプリンクラーノズルと弁との間の可撓性導管の内部に延在している可撓性リンクと、
を備え、
スプリンクラーノズル、弁、および可撓性リンクは、前記要素が壊れることにより、可撓性リンクが弁を閉状態から開状態に移動させることが可能になるように構成されている、
ことを特徴とするフレキシブル乾式スプリンクラーヘッド。
【請求項１３】
請求項１２に記載のフレキシブル乾式スプリンクラーヘッドであって、可撓性導管は蛇腹ホースを含むことを特徴とするフレキシブル乾式スプリンクラーヘッド。
【請求項１４】
請求項１３に記載のフレキシブル乾式スプリンクラーヘッドであって、可撓性導管は網組金属の外被を含むことを特徴とするフレキシブル乾式スプリンクラーヘッド。
【請求項１５】
請求項１２に記載のフレキシブル乾式スプリンクラーヘッドであって、可撓性導管は直角に曲げることができることを特徴とするフレキシブル乾式スプリンクラーヘッド。
【請求項１６】
請求項１２に記載のフレキシブル乾式スプリンクラーヘッドであって、弁は、ラッチ止め位置から解除位置まで移動可能な弁要素を含み、弁要素は、当該弁要素がラッチ止め位置にあるとき弁を閉位置に維持し、一方、解除位置にあるとき弁が開位置にあることを可能にすることを特徴とするフレキシブル乾式スプリンクラーヘッド。
【請求項１７】
請求項１６に記載のフレキシブル乾式スプリンクラーヘッドであって、さらに、可撓性リンクの第１の端部に取り付けられ弁要素と結合するリンクピンを備えることを特徴とするフレキシブル乾式スプリンクラーヘッド。
【請求項１８】
請求項１７に記載のフレキシブル乾式スプリンクラーヘッドであって、リンクピンは、弁要素をラッチ止め位置に維持することを特徴とするフレキシブル乾式スプリンクラーヘッド。
【請求項１９】
請求項１８に記載のフレキシブル乾式スプリンクラーヘッドであって、前記要素が壊れることにより、可撓性リンクがスプリンクラーノズルの方へ移動し、それによりリンクピンが弁要素から外れることを特徴とするフレキシブル乾式スプリンクラーヘッド。
【請求項２０】
請求項１９に記載のフレキシブル乾式スプリンクラーヘッドであって、可撓性リンクは、スプリンクラーノズルに連結されている第２の端部を有することを特徴とするフレキシブル乾式スプリンクラーヘッド。
【請求項２１】
請求項１２に記載のフレキシブル乾式スプリンクラーヘッドであって、さらに、可撓性導管の内部において中心に可撓性リンクを位置させる、スプリンクラーノズルと弁との間に設けられる少なくとも１つのブレースを備えることを特徴とするフレキシブル乾式スプリンクラーヘッド。
【請求項２２】
請求項１２に記載のフレキシブル乾式スプリンクラーヘッドであって、さらに、可撓性リンクに接続されておりかつ可撓性リンクをスプリンクラーノズルの方へ付勢する付勢部材を備えることを特徴とするフレキシブル乾式スプリンクラーヘッド。
【請求項２３】
請求項１２に記載のフレキシブル乾式スプリンクラーヘッドであって、さらに、可撓性リンクに接続されている付勢部材を備え、前記要素が壊れることにより、付勢部材は可撓性リンクを引っ張ることを特徴とするフレキシブル乾式スプリンクラーヘッド。
【請求項２４】
乾式スプリンクラーヘッドであって、
第１の端部および第２の端部を有し、流体源に連結するように構成されている導管と、
導管の第１の端部に取り付けられているスプリンクラーノズルと、
導管の第２の端部の近傍に配設されておりかつ開状態および閉状態を有する弁であって、当該弁が開状態にあるときに流体源からの流体が導管を通って流動することを可能にし、かつ閉状態にあるときに流体源からの流体が導管を通って流動しないようにするように構成されている、弁と、
長手方向に可撓性を有し、スプリンクラーノズルと弁との間に延在し、かつそれらに連結されているリンクと、を備え、
リンクがスプリンクラーノズルの方向に移動すると、スプリンクラーノズルが開き、流体がスプリンクラーノズルを通って流動することを可能にすることを特徴とする乾式スプリンクラーヘッド。
【請求項２５】
請求項２４に記載の乾式スプリンクラーヘッドであって、スプリンクラーノズルは、所定の温度にさらされると壊れる要素を含み、前記要素が壊れることにより、リンクが弁を開状態に移動させることを特徴とする乾式スプリンクラーヘッド。
【請求項２６】
請求項２５に記載の乾式スプリンクラーヘッドであって、リンクが導管内部に配置されることを特徴とする乾式スプリンクラーヘッド。
【請求項２７】
請求項２６に記載の乾式スプリンクラーヘッドであって、弁は、ラッチ止め位置から解除位置まで移動可能な弁要素を含み、弁要素は、当該弁要素がラッチ止め位置にあるとき弁を閉位置に維持し、一方、解除位置にあるとき弁が開位置にあることを可能にすることを特徴とする乾式スプリンクラーヘッド。
【請求項２８】
請求項２７に記載の乾式スプリンクラーヘッドであって、さらに、リンクの第１の端部に取り付けられ弁要素と結合するリンクピンを備えることを特徴とする乾式スプリンクラーヘッド。
【請求項２９】
請求項２８に記載の乾式スプリンクラーヘッドであって、リンクピンは、弁要素をラッチ止め位置に維持することを特徴とする乾式スプリンクラーヘッド。
【請求項３０】
請求項２９に記載の乾式スプリンクラーヘッドであって、前記要素が壊れることにより、リンクがスプリンクラーノズルの方へ移動し、それによりリンクピンが弁要素から外れることを特徴とする乾式スプリンクラーヘッド。
【請求項３１】
請求項２４に記載の乾式スプリンクラーヘッドであって、さらに、リンクに接続されておりかつリンクをスプリンクラーノズルの方へ付勢する付勢部材を備えることを特徴とする乾式スプリンクラーヘッド。
【請求項３２】
請求項２５に記載の乾式スプリンクラーヘッドであって、さらに、リンクに接続されている付勢部材を備え、前記要素が壊れることにより、付勢部材はリンクを引っ張ることを特徴とする乾式スプリンクラーヘッド。